(57)【要約】【課題】使用者が撮影を望む画像に関連する画像を自動的に記録する撮像装置を提供することを目的とする。【解決手段】被写体像を撮像し、動画像データを生成する撮像手段と、撮像手段により生成された動画像データを記憶可能な記憶手段と、自装置が使用者により撮影姿勢で保持されているかを判定する判定手段と、判定手段により自装置が撮影姿勢で保持されていると判定されるのに応じて、撮像手段により撮像された動画像データの記憶手段への記録を開始し、直近の所定時間分の動画像データを記憶手段に記憶させる記録手段と、を備える。【選択図】図１
2011130148.tif 000002
【特許請求の範囲】
【請求項１】
被写体像を撮像し、動画像データを生成する撮像手段と、
前記撮像手段により生成された動画像データを記憶可能な記憶手段と、
自装置が使用者により撮影姿勢で保持されているかを判定する判定手段と、
前記判定手段により自装置が撮影姿勢で保持されていると判定されるのに応じて、前記撮像手段により撮像された動画像データの前記記憶手段への記録を開始し、直近の所定時間分の動画像データを前記記憶手段に記憶させる記録手段と、を備える、
撮像装置。
【請求項２】
前記判定手段は、自装置のブレを検出することにより、自装置が使用者により撮影姿勢で保持されているか否かを判定する、
請求項１に記載の撮像装置。
【請求項３】
前記判定手段は、自装置の傾き度合いを検出することにより、自装置が使用者により撮影姿勢で保持されているか否かを判定する、
請求項１又は２に記載の撮像装置。
【発明の詳細な説明】
【技術分野】
【０００１】
本発明は撮像装置に関し、特に、直近の所定時間分の動画像データの記録を自動的に開始する機能を有する撮像装置に関する。
【背景技術】
【０００２】
特許文献１は、撮像装置を開示する。この撮像装置は、「カメラＤＳＰ２の比較部２４は、第２メモリ２３の最新に撮影した画像の画像データと第１メモリ２１の最新に取り込んだ画像データとを比較し、この結果を受けて制御部３が第１の閾値以上の変化が生じていることを検出した場合には、比較部２４が、第１メモリ２３の新旧２つの画像を比較し、この比較結果を受けて制御部３が画像変化が第２の閾値以下に収束したと判断した場合に、制御部３が各部を制御して新たな画像の撮影を自動的に行い、撮影した画像データを第２メモリ２３と記録媒体４に記録する。」という特徴を有している。
【先行技術文献】
【特許文献】
【０００３】
【特許文献１】特開２００７−２８１２３号公報
【発明の概要】
【発明が解決しようとする課題】
【０００４】
しかしながら、上記特許文献１が開示している撮像装置は、使用者が撮影を望むか否かに関わらず自動的に撮像を行う。従って、この撮像装置は、使用者がまったく意図しない画像の撮像を自動的におこなってしまう。
【０００５】
本発明は、使用者が撮影を望む画像に関連する画像を自動的に記録する撮像装置を提供することを目的とする。
【課題を解決するための手段】
【０００６】
上記課題を解決するために本発明にかかる撮像装置は、被写体像を撮像し、動画像データを生成する撮像手段と、撮像手段により生成された動画像データを記憶可能な記憶手段と、自装置が使用者により撮影姿勢で保持されているかを判定する判定手段と、判定手段により自装置が撮影姿勢で保持されていると判定されるのに応じて、撮像手段により撮像された動画像データの記憶手段への記録を開始し、直近の所定時間分の動画像データを記憶手段に記憶させる記録手段と、を備える。
【発明の効果】
【０００７】
本発明によれば、使用者が撮影を望む画像に関連する画像を自動的に記録する撮像装置を提供できる。
【図面の簡単な説明】
【０００８】
【図１】デジタルビデオカメラ１００の構成を示すブロック図
【図２】撮影時の動作を説明するためのフローチャート
【図３】ＰＲＥ−ＲＥＣを経て生成された動画像データの構成を説明するための模式図
【発明を実施するための形態】
【０００９】
〔１．実施の形態１〕
本発明をデジタルビデオカメラに適用した実施の形態１について図を用いて説明する。
【００１０】
〔１−１．構成〕
〔１−１−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。以下、デジタルビデオカメラ１００の構成を詳細に説明する。
【００１１】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１２】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１３】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１４】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１５】
ＣＣＤイメージセンサー１８０は、ズームレンズ１１０等からなる光学系で形成された被写体像を撮像して、映像データを生成する。ＣＣＤイメージセンサー１８０は、露光、転送、電子シャッタなどの各種動作を行う。
【００１６】
画像処理部１９０は、ＣＣＤイメージセンサー１８０で生成された映像データに対して各種の処理を施す。画像処理部１９０は、ＣＣＤイメージセンサー１８０で生成された映像データに対して処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。画像処理部１９０は、ＤＳＰやマイコンなどで実現可能である。
【００１７】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００１８】
メモリ２００は、画像処理部１９０及びコントローラー２１０のワークメモリとして機能する。メモリ２００は、例えば、ＤＲＡＭ、強誘電体メモリなどで実現できる。
【００１９】
液晶モニタ２７０は、ＣＣＤイメージセンサー１８０で生成した映像データが示す画像や、メモリカード２４０から読み出した映像データが示す画像を表示可能である。
【００２０】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２１】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２２】
内部メモリ２８０は、フラッシュメモリや強誘電低メモリなどで構成される。内部メモリ２８０は、デジタルビデオカメラ１００全体を制御するための制御プログラム等を格納する。
【００２３】
操作部材２５０は、使用者から画像の撮像指示を受け付ける部材である。ズームレバー２６０は、使用者からズーム倍率の変更指示を受け付ける部材である。
【００２４】
〔１−１−２．本発明との対応〕
ＣＣＤイメージセンサー１８０は、本発明の撮像手段の一例である。メモリ２００は、本発明の記憶手段の一例である。コントローラー２１０は、本発明の判定手段の一例である。コントローラー２１０は、本発明の記録手段の一例である。
【００２５】
〔１−２．撮影モード〕
本実施の形態にかかるデジタルビデオカメラ１００の撮影時の動作について図２を用いて説明する。図２は、撮影時の動作を説明するためのフローチャートである。
【００２６】
使用者は、操作部材２５０のうちのモードダイヤルを操作することにより、デジタルビデオカメラ１００を撮影モードに設定できる（Ｓ１００）。撮影モードに設定されると、コントローラー２１０は、デジタルビデオカメラ１００が使用者によって撮影姿勢で保持されているかを判断する（Ｓ１１０）。具体的には、コントローラー２１０は、ジャイロセンサー２２０の出力を確認することにより、デジタルビデオカメラ１００のブレの状態を検知できる。また、コントローラー２１０は、検出器１６０の出力を確認することにより、デジタルビデオカメラ１００の傾き状態を検出できる。コントローラー２１０は、デジタルビデオカメラ１００のブレの状態が所定値以下であり、さらに、デジタルビデオカメラ１００が略水平状態で保持されていると検出したときに、デジタルビデオカメラ１００が撮影姿勢で保持されていると判断する。
【００２７】
デジタルビデオカメラ１００が撮影姿勢で保持されていないと判断すると、コントローラー２１０は、使用者により記録指示がされたかを判断する（Ｓ１２０）。使用者により記録指示がされていないと判断すると、コントローラー２１０は、再度ステップＳ１１０の判断を行う。一方、使用者により記録指示がされたと判断すると、コントローラー２１０は、画像処理部１９０で生成された映像データのメモリカード２４０への記録を開始する（Ｓ１３０）。
【００２８】
一方、ステップＳ１１０において、デジタルビデオカメラ１００が撮影姿勢で保持されていると判断すると、コントローラー２１０は、ＰＲＥ−ＲＥＣを開始する（Ｓ１４０）。ここで、ＰＲＥ−ＲＥＣとは、画像処理部１９０で生成した動画像データをメモリ２００上のリングバッファに常に最新の３秒分のデータが残るように記録することである。なお、この時点では、最新の３秒分のデータはメモリカード２４０には記録されない。
【００２９】
ＰＲＥ−ＲＥＣが開始されると、コントローラー２１０は、使用者によりデジタルビデオカメラ１００が継続して撮影姿勢で保持されているかを判断する（Ｓ１５０）。継続して撮影姿勢で保持されていないと判断すると、コントローラー２１０は、ＰＲＥ−ＲＥＣを中止する（Ｓ１６０）。一方、継続して撮影姿勢で保持されていると判断すると、コントローラー２１０は、使用者により記録指示がされたかを判断する（Ｓ１７０）。
【００３０】
記録指示がされていないと判断すると、コントローラー２１０は、再度ステップＳ１５０の判断を行う。一方、使用者により記録指示がされたと判断すると、コントローラー２１０は、メモリ２００のリングバッファに記録されている最新の３秒分のデータを含めて動画像データのメモリカード２４０への記録を開始する。具体的には、コントローラー２１０は、使用者による記録指示が検出される以前の３秒分のデータがメモリ２００のリングバッファ上にあるので、記録指示の３秒前のデータからメモリカード２４０に記録する。
【００３１】
このように、本実施の形態にかかるデジタルビデオカメラ１００は、使用者により撮影姿勢で保持されている場合には、自動的にＰＲＥ−ＲＥＣを開始することとした。これにより、デジタルビデオカメラ１００は、使用者にとっての貴重なシーンの撮り逃しを軽減することができる。また、常にＰＲＥ−ＲＥＣを行っているわけではないので、電力消費量についても軽減できる。
【００３２】
〔１−３．ＰＲＥ−ＲＥＣを経て生成されたデータの構成〕
ＰＲＥ−ＲＥＣを経て生成された動画像データの構成について図３を用いて説明する。図３は、ＰＲＥ−ＲＥＣを経て生成された動画像データの構成を説明するための模式図である。
【００３３】
ＰＲＥ−ＲＥＣを経て生成された動画像データは、ＰＲＥ−ＲＥＣの開始時点と、使用者による記録開始指示があった時点とにインデックス２９０を有している。このように構成している理由について次に説明する。
【００３４】
ＰＲＥ−ＲＥＣを経て生成された動画像データは、使用者から記録指示を受けて以降の動画像データだけでなく、使用者から記録指示を受け付ける３秒前からの動画像データも含んでいる。使用者から記録指示を受け付ける前の動画像データは、使用者にとって不要な場合もある。
【００３５】
そこで、デジタルビデオカメラ１００は、ＰＲＥ−ＲＥＣを経て生成された動画像データに対して、ＰＲＥ−ＲＥＣの開始時点と、使用者による記録開始指示があった時点とにインデックス２９０を付与している。これにより、使用者は、ＰＲＥ−ＲＥＣを経て生成された動画像データ内のインデックス２９０を検索することで、プリＲＥＣで記録された部分を簡便に仕分けられる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００３６】
本実施の形態にかかるデジタルカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００３７】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００３８】
また、実施の形態１では、使用者が撮影姿勢をとっているかどうかの判断を検出器１６０、ジャイロセンサー２２０の情報を基に判断しているが、本発明はこれらに限定されない。例えば、使用者が撮影姿勢にあるかどうかの判断に撮影している画像の明るさや、グリップ部にビデオカメラ１００が使用者の手でもたれているかどうかを検出するスイッチを設けて、使用者が撮影姿勢をとっているかどうかを判断する構成としてもよい。
【００３９】
また、実施の形態１では、ＰＲＥ−ＲＥＣの開始位置と、使用者から記録指示を受け付けた時点とに同一のインデックスを付与し、動画像データを生成することとした。しかしながら、必ずしもこのようにする必要はない。例えば、ＰＲＥ−ＲＥＣの開始位置と、使用者から記録指示を受け付けた時点とに異なるインデックスを付与する構成としてもよい。このようにすれば、使用者は、より簡単に目的とする位置を検索することができる。
【産業上の利用可能性】
【００４０】
本発明は、デジタルビデオカメラやデジタルスチルカメラ等に適用できる。
【符号の説明】
【００４１】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011130148.tif 000003
【図２】
2011130148.tif 000004
【図３】
2011130148.tif 000005